(57)【要約】  【課題】使用が容易安全で、且つ、歯のために柔軟且つ、経済的にも有利なＷＳＰＴＦＩＳＣを提供する。  【解決手段】本発明は上記目的を達成するために、ＷＳＰＴＦＩＳＣは、ＷＳＰＴＦＩＳＣ（１）が円筒状コア（４）に巻かれ、内部に詰められる容器（５）からなる。容器（５）は、ＷＳＰＴＦＩＳＣ（１）を引張り出すための出口（６）を有し、かつ、カッター（７）を有し、且つ、該ＷＳＰＴＦＩＳＣ（１）は長い薄いテープであり、その厚さ（２）が約５ミクロン〜１００ミクロン（１０-3ミリメートル）であり、その幅（３）が約５ミクロン〜２５ミクロンであることを特徴とする歯間腔清掃用テープを提供する。【選択図】図１
2008086557.tif 000002
【特許請求の範囲】
【請求項１】
ＷＳＰＴＦＩＳＣは、ＷＳＰＴＦＩＳＣ（１）が円筒状コア（４）に巻かれ、内部に詰められる容器（５）からなる。容器（５）は、ＷＳＰＴＦＩＳＣ（１）を引張り出すための出口（６）を有し、かつ、カッター（７）を有し、且つ、該ＷＳＰＴＦＩＳＣ（１）は長い薄いテープであり、その厚さ（２）が約５ミクロン〜１００ミクロン（１０−３ミリメートル）であり、その幅（３）が約５ミクロン〜２５ミクロンであることを特徴とする歯間腔清掃用テープ。
【請求項２】
上記ＷＳＰＴＦＩＳＣ（１）は、ポリエチレンから成ることを特徴とする請求項１に記載のＷＳＰＴＦＩＳＣ。
【発明の詳細な説明】
【技術分野】
【０００１】
本発明は歯間腔清掃用の広幅サイズのポリエチレンテープに関するものであり、特に、歯間フロスの欠点を除去し、理想的な歯間腔清掃用テープに関するものである。
【背景技術】
【０００２】
現在、歯間腔（２つの隣接する歯の間の空間）を清掃するために使用される最良の方法は、歯間フロスを使用することによってである。歯間フロスのほとんどすべてが、一緒に編まれ、かつ、固定のためにワックスが被覆されたミクロフィラメントから作製されている。市場には多くのタイプおよび商標のフロスが存在し、一部は、直径が約０．５ミリメートルである円形フロスであり、一部は、最初のフロスよりも大きく、幅が約１ミリメートル〜２ミリメートルであり、厚さが約０．１ミリメートルである平らなフロスである。その目的は、つかむことを容易にすることであり、しかしながら、依然として、その目的を達するために十分に大きくない。
【０００３】
それにもかかわらず、フロスが二本の指でつかむために十分に大きくなるまでは、平らなフロスまたは円形フロスさえ作製することができない。これは、材料の性質の限界のためである。フロスが、二本の指で容易につかむことができるまで十分に大きいならば、それらは、歯間腔に押し込むためには大きすぎるし、また、硬すぎる。従って、フロス設計は、小さい円形フロスまたは小さい平らなフロスのみに限定されるに違いなく、そのことが、下記などの非常に多くの欠点を生じさせている：
１．フロスが非常に小さく、かつ、滑りやすく、また、二本の指でつかむことができないので、使用することが困難である。フロスを、もっぱら使用中は、指に巻き付けなければならない；
２．フロスを指に巻き付けることによって引き起こされる指および歯茎の痛み、ならびに、小さいフロスは使用中に歯茎を切る；
３．フロスの一部が指に巻き付けられ、使用されないので、無駄である。これに加えて、フロスは、一緒に編まれ、固定のためにワックスが被覆されたミクロフィラメントから作製されている。このことは、使用中にミクロフィラメントに壊れることを容易にし、従って、より多くのフロスが使用されることになる；
４．フロスが小さいので、多くの時間が費やされることになる。従って、歯間腔清掃の最良の結果を得るための唯一の方法は、フロスで歯間腔全域を掃除することである。
【発明の開示】
【発明が解決しようとする課題】
【０００４】
本発明の目的は、上記で述べられた歯間フロスの欠点を直すことであり、また、理想的な歯間腔清掃用テープを提供するために解決せられるべき技術的課題が生じてくるのであり、本発明は該課題を解決することを目的とする。
【課題を解決するための手段】
【０００５】
この発明は上記目的を達成するために提案せられたものであり、請求項１および２を提供するものである。 
【発明の効果】
【０００６】
ＷＳＰＴＦＩＳＣ（ポリエチレンから成る歯間腔清掃用テープ）は使用が容易になり、指の周りに痛みを生じさせず、歯茎および歯のために柔軟且つ、安全になり、より多くのテープおよび金銭的節約が可能となり、健康増進に寄与する。
【発明を実施するための最良の形態】
【０００７】
本発明は従来の歯間クロスの欠点を除去し、使用が容易且つ、指の周りに痛みを生じさせずに安全に歯茎および歯を清掃すると云う目的を達成するために、ＷＳＰＴＦＩＳＣは、ＷＳＰＴＦＩＳＣ（１）が円筒状コア（４）に巻かれ、内部に詰められる容器（５）からなる。容器（５）は、ＷＳＰＴＦＩＳＣ（１）を引張り出すための出口（６）を有し、かつ、カッター（７）を有し、且つ、該ＷＳＰＴＦＩＳＣ（１）は長い薄いテープであり、その厚さ（２）が約５ミクロン〜１００ミクロン（１０−３ミリメートル）であり、その幅（３）が約５ミクロン〜２５ミクロンであることを特徴とする歯間腔清掃用ポリエチレンテープを提供することにより達成した。
【０００８】
而して、本発明のＷＳＰＴＦＩＳＣは、スコッチテープのようであるが、糊を有しない長い薄いテープである。ＷＳＰＴＦＩＳＣは上述したようにポリエチレンから作製され、均一な表面組織を有する。従って、ＷＳＰＴＦＩＳＣは耐久性があり、柔軟であり、かつ、大きな弾力性を有し、また、使用中にミクロフィラメントに壊れない。
【０００９】
ＷＳＰＴＦＩＳＣの幅は、滑ることなく２本の指でつかむために十分に広く、また、ＷＳＰＴＦＩＳＣはミクロンほどの厚さであるので、ＷＳＰＴＦＩＳＣを容易に歯間腔に押し込み、引張って歯間腔を通過させることができる。加えて、ＷＳＰＴＦＩＳＣの幅は歯間腔の長さと一致する。従って、ほんの１回だけ引張って歯間腔を通過させることが、完全な歯間腔清掃を達するために十分である。そのことは、より少ない時間で歯間腔の清掃が実現できる。
【００１０】
上述のすべての理由によって、ＷＳＰＴＦＩＳＣは、使用が容易になり、指の周りに痛みを生じさせず、歯茎および歯のために柔軟かつ安全になり、より多くのテープおよび金銭的節減ができ、使用安全にして健康増進に寄与するのである。
【実施例】
【００１１】
以下、本発明の好適な実施例を図１乃至図５に従って詳述する。
【００１２】
図１は本発明のＷＳＰＴＦＩＳＣ１を示し、拡大部分が円内に示される。
【００１３】
図２、図３、図４、図５は、ＷＳＰＴＦＩＳＣ１をいかにして使用するかを、第１段階から第４段階まで段階毎に示す。
【００１４】
図１は本発明のＷＳＰＴＦＩＳＣ１を示す。
【００１５】
ＷＳＰＴＦＩＳＣ１は長い薄いテープであり、その厚さ２は約５ミクロン〜１００ミクロン（１０−３ミリメートル）であり、その幅３は約５ミリメートル〜２５ミリメートルであり、その長さは制限されないが、通常は約５０メートル〜６０メートルのものが用いられる。ＷＳＰＴＦＩＳＣ１は円筒状コア４に巻かれ、容器５に詰められる。容器５は、テープを引張り出すための出口６を有し、かつ、カッター７が、任意の欲する長さで切るために付属する。
【００１６】
ＷＳＰＴＦＩＳＣ１はポリエチレンから作製され、ポリエチレンの性質は柔軟であり、耐久性があり、かつ、大きい弾力性を有する。ポリエチレンはミクロンほどの薄いテープにすることができ、しかし、その性質は依然として同じである。従って、ポリエチレンは、ＷＳＰＴＦＩＳＣ１にするために好適であり、しかし、なによりも重要なことは、歯茎および歯のために柔軟かつ安全である。
【００１７】
現在、ポリエチレンは、特に、食品容器および飲み物容器用として多く用いられている。
【００１８】
図２、図３、図４、図５は、ＷＳＰＴＦＩＳＣ１をいかにして使用するかを、第１段階から第４段階まで段階毎に示す。
【００１９】
図２。第１段階。「つかむ」。ＷＳＰＴＦＩＳＣ１の一片が１３センチメートル〜１５センチメートルの長さで切断されたものを両方の手の親指によりその両側をつかむ。端に近い一方の側をつかみ、短いホルダー端部８を作製し、また、反対側を端から遠ざけて、長い清掃用端部９を作製する。それらはともに、両指間１０に約３センチメートル〜５センチメートル離れていなければならない（右側の歯を清掃する場合、右手を使用して、短いホルダー端部８をつかむ。反対に左側の歯では、左手を使用して、短いホルダー端部８をつかむ）。ＷＳＰＴＦＩＳＣ１は、その幅３が十分に広い（約５ミリメートル〜２５ミリメートル）ので容易につかむことができ、また、ＷＳＰＴＦＩＳＣ１は、均一な表面組織を有し、かつ、固定のために被覆するワックスを必要としないので滑らない。
【００２０】
図３。第２段階。「置く」。ＷＳＰＴＦＩＳＣ１を、両方の手の中指１２、１３をコントローラーして使用することによって歯間腔１１の入口に置く。長い清掃用端部９を口内に置き、短いホルダー端部８を外側に置く。
【００２１】
図４。第３段階。「押す」。両方の手の中指１２、１３を使用して、ＷＳＰＴＦＩＳＣ１を矢印１４、１５の方向に従って歯間腔１１に押し込む。ＷＳＰＴＦＩＳＣ１は非常に薄く、その厚さ２が約５ミクロン〜１００ミクロン（１０−３ミリメートル）しかないので、非常に容易に行われる。
【００２２】
図５。第４段階。「引く」。長い清掃用端部９を自由にし、歯間腔１１を通り抜けるまで、短いホルダー端部８を矢印１６の方向に従ってその長さに沿って引張る。これが完全な歯間腔清掃についてのすべてである。ＷＳＰＴＦＩＳＣ１の幅が歯間腔の長さに一致することが図５において明らかにされる。従って、ＷＳＰＴＦＩＳＣ１を引張って、歯間腔１１を１回だけ通過させることが、歯間腔全体を清掃するために十分である。このことは、より少ない時間が費やされることを意味する。また、ＷＳＰＴＦＩＳＣ１はポリエチレンから作製されるので、ＷＳＰＴＦＩＳＣ１は大きな弾力性を有しており、歯茎および歯のために柔軟である。また、ＷＳＰＴＦＩＳＣ１は耐久性があり、かつ、均一な表面組織を有しているので、使用中にミクロフィラメントに壊れない。従って、より多くのテープおよび金銭的節約が可能となる。
【図面の簡単な説明】
【００２３】
【図１】本発明のＷＳＰＴＦＩＳＣを示し、その斜視図。
【図２】本発明のＷＳＰＴＦＩＳＣの第１段階の使用段階を示す解説図。
【図３】本発明のＷＳＰＴＦＩＳＣの第２段階の使用段階を示す解説図。
【図４】本発明のＷＳＰＴＦＩＳＣの第３段階の使用段階を示す解説図。
【図５】本発明のＷＳＰＴＦＩＳＣの第４段階の使用段階を示す解説図。
【符号の説明】
【００２４】
１      ＷＳＰＴＦＩＳＣ
２      厚さ
３      幅
４      円筒状コア
５      容器
６      出口
７      カッター
【図１】
2008086557.tif 000003
【図２】
2008086557.tif 000004
【図３】
2008086557.tif 000005
【図４】
2008086557.tif 000006
【図５】
2008086557.tif 000007